(57)【要約】【課題】胴部１０と棹部２０を着脱自在に連結することが出来、胴部１０と棹部２０の緩みを抑えることの出来る三味線を提供する。【解決手段】胴部１０と棹部２０を備えた三味線であって、前記胴部１０が前記棹部２０に対向する対向面１１に第１連結部１２が設けられ、前記棹部２０が前記胴部１０に対向する対向面２１に第１被連結部２２が設けられ、前記第１連結部１２は突出部を有し、前記第１被連結部２２は前記突出部と嵌合する受入部を有し、前記突出部と前記受入部とは、挿脱可能に嵌合することが可能であり、前記胴部１０の空洞内部へ貫通する貫通孔１４が対向面１１に設けられ、第１棒状部材３０が前記貫通孔１４に差し込まれており、前記第１棒状部材３０の一端部は、前記対向面１１よりも外部へ突出して前記第１連結部１２の突出部を形成している。【選択図】図１
2020183974.tif 000002
【特許請求の範囲】
【請求項１】
胴部１０と棹部２０を備えた三味線であって、
前記胴部１０が前記棹部２０に対向する対向面１１に第１連結部１２が設けられ、
前記棹部２０が前記胴部１０に対向する対向面２１に第１被連結部２２が設けられ、
前記第１連結部１２は突出部を有し、
前記第１被連結部２２は前記突出部と嵌合する受入部を有し、
前記突出部と前記受入部とは、挿脱可能に嵌合されていることを特徴とする三味線。
【請求項２】
請求項１に記載の三味線において、
前記胴部１０の空洞内部へ貫通する貫通孔１４が対向面１１に設けられ、
第１棒状部材３０が前記貫通孔１４に差し込まれており、
前記第１棒状部材３０の一端部は、
前記対向面１１よりも外部へ突出して
前記第１連結部１２の突出部を形成していることを特徴とする三味線。
【請求項３】
請求項２に記載の三味線において、
前記貫通孔１４は前記対向面１１の対極となる対極面１５にも設けられ、
前記第１棒状部材３０の他端部は、
前記対極面１５よりも外部へ突出していることを特徴とする三味線。
【請求項４】
請求項３に記載の三味線において、
前記胴部１０の前記対向面１１に第２連結部１３が設けられ、
前記棹部２０が前記対向面２１に第２被連結部２３が設けられ、
前記第２連結部１３は突出部を有し、
前記第２被連結部２３は前記突出部と嵌合する受入部を有し、
第２棒状部材４０が前記貫通孔１４に差し込まれており、
前記第２棒状部材４０の一端部は、
前記対向面１１よりも外部へ突出して、
前記第２連結部１３の突出部を形成していることを特徴とする三味線。
【請求項５】
請求項４に記載の三味線において、
前記第１被連結部２２の受入部および前記第２被連結部２３の受入部の内の少なくとも一方は、
前記棹部２０の長手方向に貫通する貫通孔であることを特徴とする三味線。
【請求項６】
請求項４に記載の三味線において、
前記第１棒状部材３０および第２棒状部材４０の少なくとも一方の他端部には係合部が形成されており、
前記胴部１０の内側壁部に形成された被係合部１６と係合していることを特徴とする三味線。
【請求項７】
請求項４に記載の三味線において、
前記第１棒状部材３０および前記第２棒状部材４０の少なくとも一方に当該棒状部材を覆い、
両端がそれぞれ前記胴部１０の空洞内部の壁面に当接している補強部材５０を有していることを特徴とする三味線。
【請求項８】
請求項５に記載の三味線において、
第２棒状部材４０の一端部は、
前記棹部２０の第２被連結部２３の外側に突出していることを特徴とする三味線。
【請求項９】
請求項４に記載の三味線において、
前記棹部２０の前記受入部に連通する挿通孔２４が設けられ、
前記挿通孔２４に糸を挿通させることの出来ることを特徴とする三味線。
【請求項１０】
請求項９に記載の三味線において、
一端が糸巻きに固定された糸が、胴の表面および裏面を経由して配設され、
前記糸の他端が挿通孔２４を通して固定されていることを特徴とする三味線。
【請求項１１】
請求項５に記載の三味線において、
前記第１棒状部材３０および前記第２棒状部材４０の少なくとも一方にはネジ溝が設けられ、
当該棒状部材は前記胴部１０の内部に螺入されて、
前記胴部１０と前記棹部２０が連結されていることを特徴とする三味線。
【発明の詳細な説明】
【技術分野】
【０００１】
本発明は、着脱可能な三味線に関するものである。
【背景技術】
【０００２】
三味線の胴部と棹部に分けることで、三味線の持ち運びやすくすることが出来る。
【発明の概要】
【発明が解決しようとする課題】
【０００３】
しかし、従来の三味線は、胴部と棹部を分離させると、中木の付いた棹部が長くなり、持ち運びにくい場合もあった。また、胴部と棹部との間に隙間が生じて、緩みが生じてしまう場合もあった。
【課題を解決するための手段】
【０００４】
上記の課題を解決するために、本発明における三味線は、胴部１０と棹部２０を備えている。胴部１０には棹部２０と連結するための連結部が設けられ、棹部２０には胴部１０と連結するための被連結部が設けられている。この連結部と被連結部によって、胴部１０と棹部２０は自在に着脱出来るようになっている。また、連結部と被連結部の内の一方には突出部が形成され、他方にはこの突出部と嵌合出来る受入部が形成されており、この突出部とこの受入部は、挿脱可能に嵌合することが出来るようになっている。
【０００５】
胴部１０の空洞内部へ貫通する貫通孔１４が対向面１１に設けられ、第１棒状部材３０が貫通孔１４に差し込まれている。また、第１棒状部材３０の一端部は、対向面１１よりも外部へ突出しており、第１連結部１２の突出部になる。この第１棒状部材３０の一端部が、胴部１０の突出部として機能することになる。胴部１０の第１連結部１２の突出部と、棹部２０の第１被連結部２２の受入部は挿脱可能に嵌合されている。
【発明の効果】
【０００６】
本発明によって、従来棹部と一体になっていた中木（胴内部への挿入部）が、棹部から無くなることで、棹部の長手方向の長さを短くさせることが出来る。また、保管する上でもスペースを節約することが出来る。さらに、胴部と棹部の緩みを抑えることも可能である。
【図面の簡単な説明】
【０００７】
【図１】胴部１０と棹部２０を連結させる前の状態を示す図（三味線１００）
【図２】胴部１０と棹部２０を連結させた後の状態を示す図（三味線１００）
【図３】胴部１０を上側から見た図（三味線１００）
【図４】胴部１０を対向面１１側から見た図（三味線１００）
【図５】胴部１０と棹部２０を連結させる前の状態を示す図（三味線１００Ａ）
【図６】胴部１０を対向面１１側から見た図（三味線１００Ａ）
【図７】胴部１０と棹部２０を連結させる前の状態を示す図（三味線１００Ｂ）
【図８】胴部１０と棹部２０を連結させた後の状態を示す図（三味線１００Ｃ）
【図９】胴部１０を上側から見た図（三味線１００Ｃ）
【図１０】胴部１０と棹部２０を連結させる前の状態を示す図（三味線１００Ｄ）
【図１１】胴部１０と棹部２０を連結させた後の状態を示す図（三味線１００Ｄ）
【図１２】胴部１０と棹部２０を連結させた前の状態を示す図（三味線１００Ｅ）
【図１３】胴部１０と棹部２０を連結させた後の状態を示す図（三味線１００Ｅ）
【図１４】胴部１０と棹部２０を連結させた後の状態を示す図（三味線１００Ｆ）
【発明を実施するための形態】
【０００８】
本発明で扱う三味線は、胴部１０と棹部２０とに分離させることが出来る。ここでは、構造の説明を簡略化させる為に基本的には、糸、駒、音緒、糸巻き等の附属品、および棹部の天神側などを省略しており、図面に表示させていない。但し、図１１と図１３には、糸、駒、音緒を表示してある。
ここで言う胴部とは、胴本体、振動膜（表皮や裏皮）、胴内部の部材までも包有した範囲を意味し、棹部とは、天神部までも包有した範囲を意味する。本発明は、図示している形状に限定されるものではない。
【０００９】
図１は三味線１００における胴部１０と棹部２０を連結させる前の状態を示す図であり、図２は胴部１０と棹部２０を連結させた後の状態を示す図であり、図３は胴部１０を上側から見た図であり、図４は胴部１０を対向面１１側から見た図ある。
図示しているように、三味線１００を胴部１０と棹部２０で分離させることが出来る。胴部１０が棹部２０に対向する面が対向面１１であり、棹部２０が胴部１０に対向する面が対向面２１である。
【００１０】
胴部１０の対向面１１に第１連結部１２が設けられ、棹部２０の対向面２１に第１被連結部２２が設けられている。第１連結部１２と第１被連結部２２は、挿脱自在に連結させることが可能である。また、第１連結部１２は突出部を有し、第１被連結部２２はその突出部と嵌合する受入部を有している。勿論、この突出部と受入部を挿脱自在に連結させることが可能である。
【００１１】
胴部１０の対向面１１と対極する位置にある面が対極面１５である。胴部１０の対向面１１および対極面１５には、胴部１０にはその空洞内部へ貫通する貫通孔１４が設けられている。この貫通孔１４の形状は、角部を有し、略正方形になっている。この貫通孔１４は、第１棒状部材３０を差し込むことが出来る大きさを有しており、第１棒状部材３０が貫通孔１４に挿通され、胴部１０の空洞内部を跨がるように差し込まれている。
【００１２】
第１棒状部材３０の長手方向の大きさは、胴部１０の対向面１１から対極面１５までの間の距離よりも大きい。第１棒状部材３０の一端部は、対向面１１の外側に突出している。換言すれば、第１棒状部材３０の一端部は、胴部１０の第１連結部１２の突出部を形成するようになる。
また、第１棒状部材３０の他端部は、胴部１０の対極面１５の外側に突出している。その突出部には、従来の中木先と同じように用いることが出来、音緒等をかけて三味線の糸の一方の端と連結させることが可能である。
【００１３】
図５は三味線１００Ａにおける胴部１０と棹部２０を連結させる前の状態を示す図であり、図６は胴部１０を対向面１１側から見た図である。
図示しているように、胴部１０の対向面１１に第２連結部１３が設けられ、棹部２０の対向面２１に第２被連結部２３が設けられている。第２連結部１３と第２被連結部２３は、挿脱自在に連結させることが可能である。
また、第２連結部１３は突出部を有し、第２被連結部２３はその突出部と嵌合する受入部を有している。勿論、この突出部と受入部を挿脱自在に連結させることが可能である。
【００１４】
第２棒状部材４０が貫通孔１４に挿通され、胴部１０の空洞内部を跨がるように差し込まれている。第２棒状部材４０の長手方向の大きさは、胴部１０の対向面１１から対極面１５までの間の距離よりも大きい。第２棒状部材４０の一端部は、対向面１１の外側に突出している。換言すれば、第２棒状部材４０一端部は、第２連結部１３の突出部を形成するようになる。
【００１５】
図示している第１棒状部材３０の断面が略真円である為、胴部１０と棹部２０が第１棒状部材３０を中心にして回動してしまう恐れがあるが、第２棒状部材４０によって、胴部１０と棹部２０とが互いに回動することを防ぐことが出来る。また、第２棒状部材４０によって胴部１０と棹部２０が連結した際に密着度を高めることが出来る。さらに、第１棒状部材３０の一本の場合よりも、第１棒状部材３０と第２棒状部材４０の二本の方が、棹部２０から胴部１０へより多くの振動を伝えることが出来る。
【００１６】
胴部１０の対向面１１に対して反対側の壁面内部に被係合部１６が形成されており、この被係合部１６は、凹形状、または貫通孔となっている。第１棒状部材３０の一端は、第１連結部１２の突出部を形成しており、他端には、係合部が形成されている。この係合部は、凸形状であり、被係合部１６と係合することが出来る。
第１棒状部材３０の他端の係合部と被係合部１６が係合することで、胴部１０と第１棒状部材３０との係合が強まり、第１棒状部材３０が胴部１０から外れにくくなる。
【００１７】
図７は三味線１００Ｂにおける胴部１０と棹部２０を連結させる前の状態を示す図である。
図示しているように、第１棒状部材３０と第２棒状部材４０は、補助部材５０に覆われている。
換言すれば、補助部材５０は、第１棒状部材３０と第２棒状部材４０に挿通された状態で、胴部１０の内部に収まっている。補助部材５０の形状は、中空のパイプ状であり、補助部材５０の両端は、胴部１０の空洞内部の壁面に接近しており、胴部１０の空洞内部の壁面に接触または当接した状態になっている。
【００１８】
補助部材５０により、胴部１０の強度を高めることが可能であり、不意の力が外部から掛かった際に胴部１０が変形してしまうことを防止することが可能になる。換言すれば、胴部１０の両側からの圧縮によって、胴部１０が変形してしまうことを防ぐことが出来る。
【００１９】
図８は三味線１００Ｃにおける胴部１０と棹部２０を連結させる前の状態を示す図であり、図９は胴部１０を上側から見た図である。
図示しているように、胴部１０の対向面１１と対極面１５の中間にある側面にも貫通孔１４が形成されており、第３棒状部材６０がその貫通孔１４に差し込まれている。この第３棒状部材６０により、胴部１０の強度をさらに高めることが可能である。
胴の形状は、図３で示した方形の形状以外にも、図９で示す丸形（略真円）の形状でもよい。
胴部１０が丸形であれば、胴部１０を軽量化させることも出来ると同時に、胴部１０の角部が無くなることで、胴部１０と演奏者が接触した際に演奏者の身体を傷付ける恐れを軽減させることも出来る。
【００２０】
また、第２棒状部材４０は棹部２０第２被連結部２３に差し込まれて固定されている。勿論、第２棒状部材４０が、棹部２０の第２被連結部２３に差し込まれている状態でも、胴部１０と棹部２０を連結させることが可能である。すなわち、胴部１０には突出部と受入部が設けられ、棹部２０には受入部と突出部が設けられている場合もあり得る。
【００２１】
第１棒状部材３０と第３棒状部材６０は、補強部材５０で覆われている。補強部材５０の両端は、それぞれ胴部１０の内部壁に接触しており、胴部１０の縦横方向の耐久性を高めることが出来る。
【００２２】
図１０は三味線１００Ｄにおける胴部１０と棹部２０を連結させる前の状態を示す図であり、図１１は胴部１０と棹部２０を連結させた後の状態を示す図である。
図示しているように、棹部２０の受入部に連通する挿通孔が設けられている。糸をこの挿通孔２４に挿通させた後に、糸の端部近傍に結び目を作り、糸と棹部２０を連結させることが出来る。一端が糸巻きに固定された糸を、胴の表面および裏面を経由して配設させることで、胴部１０と棹部２０を連結させることが可能である。
【００２３】
図１２は三味線１００Ｅにおける胴部１０と棹部２０を連結させる前の状態を示す図であり、図１３は胴部１０と棹部２０を連結させた後の状態を示す図である。
図示しているように、棹部２０の対向面２１とは反対側になる面から、第２棒状部材４０の一端部が突出している。この突出した部分に、糸の端部を結び付けることの出来る補助部材８０を掛けることが可能である。
図１１と同様に、一端が糸巻きに固定された糸を、胴の表面および裏面を経由して配設させることで、胴部１０と棹部２０を連結させることが可能である。
【００２４】
図示しているように、第２被連結部２３は貫通孔になっている。これにより、胴部１０と棹部２０を連結させた後で、貫通孔である第２被連結部２３から第２棒状部材４０を差し込むことも出来るようになる。
棹部２０の被連結部の受入部を貫通孔にさせることで、第１被連結部２２および第２被連結部２３の奥行きが長くなる。それにより、胴部１０の連結部である第１連結部１２および第２連結部１３の突出部の長さを大きくさせることが出来る。連結部および被連結部が互いに長くなることで、嵌合された状態での安定度を高め、糸の張力によるブレを抑えることが出来る。
【００２５】
図１４は三味線１００Ｆにおける胴部１０と棹部２０を連結させた後の状態を示す図である。
図示しているように、第１棒状部材３０Ｆと第２棒状部材４０Ｆには、ネジ溝が形成されており、ナット８５やワッシャー８６と係合されている。第１棒状部材３０は対極面１５より外部に突出しており、キャップ８７で覆われている。このようにすることで、胴部１０と棹部２０をより強固に連結させることが可能であり、三味線を安全に利用することが出来る。修理等が必要な時は、工具を用いて、胴部１０と棹部２０を分離出来る。
また、ナット８５の位置を動かすことで、胴部１０の重心の調整をすることが出来る。これにより、演奏者が弾きやすい位置に、三味線の重心を移動させることも出来る。
【００２６】
図示していないが、胴部１０と棹部２０とを一時的に固定させることも出来る。
胴部１０と棹部２０は、着脱可能に仮固定または準固定されている。固定させる方法としては、ネジ、釘、ボルト、くさびなどの金具を用いると良い。通常の状態では、胴部１０と棹部２０は一体となっているので、不用意に分離してしまうことを防ぐことが出来る。必要に応じて、工具を用いれば、胴部１０と棹部２０を分離させることが出来る。換言すれば、子供たちが使用している間に、不意に胴部１０と棹部２０が外れてしまう事故を防ぎ、子供たちの使用が終わった後で、保護者によってボルトなどの金具を外すことがより安全に利用することが出来る。
【００２７】
＜固定する方法＞
胴部１０と第１棒状部材３０を、ボンド等の接着剤や金具などで固定させることも可能である。胴部１０と第１棒状部材３０が固定されていることで、胴部１０と棹部２０の挿脱をより安定的に行うことが可能になる。
同様に、胴部１０と第２棒状部材４０をボンド等の接着剤や金具などで固定させることも可能である。
【００２８】
＜副次的効果＞
胴部と棹部を分離・結合させる仕組みを備えることで、胴の入れ替えをスムーズに行うことが出来、さらに胴の別売りも可能になる。また、子供でも簡単に取り外すことが出来ようになる。
【００２９】
胴部１０の素材は、木材、段ボール、薄板、プラスチック、紙などを利用することが可能であり、第１棒状部材３０や第２棒状部材４０の素材は、木材、セラミック、合成樹脂、プラスチック、合金、ステンレス鋼、金、銀、銅、アルミ、真鍮、チタン等の各種金属などを利用することが可能であり、補助部材５０の素材は、合金、ステンレス鋼、金、銀、銅、アルミ、真鍮、チタン等の各種金属や、セラミック、合成樹脂、プラスチック、合成ゴムなどを利用することが可能である。
【符号の説明】
【００３０】
１０…胴部
１１…対向面
１２…第１連結部
１３…第２連結部
１４…貫通孔
１５…対極面
１６…被係合部
２０…棹部
２１…対向面
２２…第１被連結部
２３…第２被連結部
２４…挿通孔  
３０…第１棒状部材
４０…第２棒状部材
５０…補強部材
６０…第３棒状部材
７０…糸
８０…補助部材
８５…ナット
８６…ワッシャー
８７…キャップ
９０…駒
１００…三味線
【図１】
2020183974.tif 000003
【図２】
2020183974.tif 000004
【図３】
2020183974.tif 000005
【図４】
2020183974.tif 000006
【図５】
2020183974.tif 000007
【図６】
2020183974.tif 000008
【図７】
2020183974.tif 000009
【図８】
2020183974.tif 000010
【図９】
2020183974.tif 000011
【図１０】
2020183974.tif 000012
【図１１】
2020183974.tif 000013
【図１２】
2020183974.tif 000014
【図１３】
2020183974.tif 000015
【図１４】
2020183974.tif 000016
【手続補正書】
【提出日】令和1年5月7日(2019.5.7)
【手続補正１】
【補正対象書類名】明細書
【補正対象項目名】０００２
【補正方法】変更
【補正の内容】
【０００２】
三味線を胴部と棹部に分けることで、三味線を持ち運びやすくさせることが出来る。